(57)【要約】【課題】  使用の快適性と使用寿命を向上するラニゲアルマスクを提供する。【解決手段】  底部に開口が形成されると共に、周縁に内部にガイドプレートを有する空気充填部が設けられるマスク本体と、  プラスチック製の透明な空気送入パイプと、該空気送入パイプの内側に設けられ、その一端がマスク本体の空気充填部と連通すると共に、他端がマスク本体から所定の距離を有する空気送入パイプを貫通し出すことにより、計測部材と連結する空気充填パイプからなる母子パイプと、  前記マスク本体の開口に設けられる少なくとも一本のリブと、を備えるラニゲアルマスクであって、  前記ガイドプレートに伸縮可能の孔が形成され、前記マスク本体へ延伸する空気充填パイプの一端に該空気充填パイプと空気充填部を連通するための貫通孔を有する連結部が設けられることを特徴とする。【選択図】    図１
2006109962.tif 000002
【特許請求の範囲】
【請求項１】
底部に開口が形成されると共に、周縁に内部にガイドプレートを有する空気充填部が設けられるマスク本体と、
プラスチック製の透明な空気送入パイプと、該空気送入パイプの内側に設けられ、その一端がマスク本体の空気充填部と連通すると共に、他端がマスク本体から所定の距離を有する空気送入パイプを貫通し出すことにより、計測部材と連結する空気充填パイプからなる母子パイプと、
前記マスク本体の開口に設けられる少なくとも一本のリブと、を備えるラニゲアルマスクであって、
前記ガイドプレートに伸縮可能の孔が形成され、前記マスク本体へ延伸する空気充填パイプの一端に該空気充填パイプと空気充填部を連通するための貫通孔を有する連結部が設けられることを特徴とするラニゲアルマスク。
【請求項２】
前記ガイドプレートの前端にリングが設けられると共に中段に縮減部が設けられることを特徴とする請求項１に記載のラニゲアルマスク。
【発明の詳細な説明】
【技術分野】
【０００１】
本発明は、特に使用の快適性と使用寿命を向上するラニゲアルマスクに関するものである。
【背景技術】
【０００２】
図４及び図５に示すように、救命救急の気管挿管によく使用されるラニゲアルマスクは、底部に開口を有するマスク本体（５０）を有し、該マスク本体（５０）の周縁に内部にガイドプレート（５４）を有する軟質の空気充填部（５２）が設けられ、該マスク本体（５０）を患者の気管に挿入することにより、心肺機能の停止した患者に気道確保の救命処置を行う。前記マスク本体（５０）の上部に空気送入パイプ（５６）と空気充填パイプ（５８）からなる母子パイプが一体に設けられ、該空気充填パイプ（５８）の一端がマスク本体（５０）の空気充填部（５２）と連通されると共に、空気送入パイプ（５６）から延出する他端に空気充填状態を測る計測部材（６０）が設けられ、前記マスク本体（５０）の開口に少なくとも一本のリブ（６２）が設けられる。又、前記ラニゲアルマスクは救命救急の気管挿管によく使用されるものであるので、特に特許文献又は非特許文献に記載してなかった。
【発明の開示】
【発明が解決しようとする課題】
【０００３】
図5に示すように、前記従来のラニゲアルマスクは以下に示すような問題を有する。まず前記ガイドプレート（５４）が空気充填部（５２）の内部に設けられるが、マスク本体（５０）を患者の気管に送入する場合、該ガイドプレート（５４）により患者では苦痛感を発生するので、ラニゲアルマスクをスムーズに患者の気管に挿入することが難しい。
【０００４】
一方、母子パイプの空気充填パイプ（５８）（子パイプ）と空気充填部（５２）との連結は、該空気充填パイプ（５８）が空気送入パイプ（５６）（母パイプ）から延出した後、外に露出するように空気充填部（５２）と連結するから、ラニゲアルマスクを患者の気管から取出す場合、該連結部を患者の歯により断裂する恐れがあるので、使用寿命が短い。
【０００５】
そこで、出願されたのが本発明であって、使用の快適性と使用寿命を向上するラニゲアルマスクを提供することを目的としている。
【課題を解決するための手段】
【０００６】
本願の請求項１の発明は、底部に開口が形成されると共に、周縁に内部にガイドプレートを有する空気充填部が設けられるマスク本体と、
プラスチック製の透明な空気送入パイプと、該空気送入パイプの内側に設けられ、その一端がマスク本体の空気充填部と連通すると共に、他端がマスク本体から所定の距離を有する空気送入パイプを貫通し出すことにより、計測部材と連結する空気充填パイプからなる母子パイプと、
前記マスク本体の開口に設けられる少なくとも一本のリブと、を備えるラニゲアルマスクであって、
前記ガイドプレートに伸縮可能の孔が形成され、前記マスク本体へ延伸する空気充填パイプの一端に該空気充填パイプと空気充填部を連通するための貫通孔を有する連結部が設けられることを特徴とするラニゲアルマスク及び、
本願の請求項２の発明は、前記ガイドプレートの前端にリングが設けられると共に中段に縮減部が設けられることを特徴とする請求項１に記載のラニゲアルマスク、を提供する。
【発明の効果】
【０００７】
本発明は上記の課題を解決するものであり、マスク本体へ延伸する空気充填パイプの一端に該空気充填パイプと空気充填部を連通するための貫通孔を有する連結部が設けられることにより、空気充填パイプと空気充填部の連結箇所の強度を向上するので、ラニゲアルマスクの使用寿命を向上し、又、空気充填部の前端におけるガイドプレートに孔やリングや縮減部が設けられ、ラニゲアルマスクの使用の快適性を向上することができる。
【発明を実施するための最良の形態】
【０００８】
以下、添付図面を参照して本発明の好適な実施の形態を詳細に説明する。
【０００９】
図１は本発明に係るラニゲアルマスクの斜視図であり、図２は本発明に係るラニゲアルマスクの部分断面図であり、図３は本発明に係るラニゲアルマスクの使用状態を示す図である。
【００１０】
図１乃至図３に示すように、本発明に係るラニゲアルマスクは、母子パイプ（１０）と、該母子パイプ（１０）の一端に設けられるマスク本体（２０）と、空気充填状態を測るための計測部材（３０）とを備える。
【００１１】
前記母子パイプ（１０）はプラスチック製の透明な空気送入パイプ（１２）と空気充填パイプ（１４）からなり、該空気充填パイプ（１４）が空気送入パイプ（１２）の内側に設けられ、その一端はマスク本体（２０）へ延伸すると共に、他端はマスク本体（２０）から所定の距離を有する空気送入パイプ（１２）を貫通し出すことにより、制御バルブ（符号なし）を有する計測部材（３０）と連結する。
【００１２】
前記マスク本体（２０）は楕円状であり、底部に空気送入パイプ（１２）と連通する開口（２２）が形成されると共に、周縁に軟質素材（例えばポリビニル（ＰＶＣ））からなる空気充填部（２４）が設けられ、該空気充填部（２４）の内部に支持用のガイドプレート（２４２）が設けられることにより、ラニゲアルマスクを患者の気管に送入する場合、空気充填部（２４）の変形を防止する。前記マスク本体（２０）へ延伸する空気充填パイプ（１４）の一端は空気送入パイプ（１２）の内側に位置するまま空気充填部（２４）と連通することにより、空気を計測部材（３０）と空気充填パイプ（１４）に介して空気充填部（２４）に充填することができる。又、マスク本体（２０）の開口（２２）に少なくとも二本の縦向リブ（２６）が設けられることにより、空気送入パイプ（１２）から気管までの通路を確保する。
【００１３】
前記計測部材（３０）は空気供給システムから空気を空気充填部（２４）に送入することにより、空気充填部（２４）の空気充填状態を測る。本発明の一つの特徴はマスク本体（２０）へ延伸する空気充填パイプ（１４）の一端に該空気充填パイプ（１４）と空気充填部（２４）を連通するための貫通孔（１６２）を有する連結部（１６）が設けられることにより、空気充填パイプ（１４）と空気充填部（２４）の連結箇所の強度を向上するので、ラニゲアルマスクの使用寿命を向上することができる。
【００１４】
本発明の他の特徴は空気充填部（２４）の前端におけるガイドプレート（２４２）に伸縮可能の孔（２４４）が形成され、ガイドプレート（２４２）の柔軟性を向上することにより、使用の快適性を向上することができる。又、前記ガイドプレート（２４２）の前端にリング（２４６）が設けられることにより、使用の苦痛感を降下し、更に、該ガイドプレート（２４２）の中段に縮減部（２４８）が設けられることにより、ガイドプレート（２４２）の柔軟性を向上する。
【産業上の利用可能性】
【００１５】
本発明は上記の構造を有するから、マスク本体へ延伸する空気充填パイプの一端に該空気充填パイプと空気充填部を連通するための貫通孔を有する連結部が設けられることにより、空気充填パイプと空気充填部の連結箇所の強度を向上するので、ラニゲアルマスクの使用寿命を向上し、又、空気充填部の前端におけるガイドプレートに孔やリングや縮減部が設けられ、ラニゲアルマスクの使用の快適性を向上することができる。
【図面の簡単な説明】
【００１６】
【図１】本発明に係るラニゲアルマスクの斜視図である。
【図２】本発明に係るラニゲアルマスクの部分断面図である。
【図３】本発明に係るラニゲアルマスクの使用状態を示す図である。
【図４】従来のラニゲアルマスクの斜視図である。
【図５】従来のラニゲアルマスクの使用状態を示す図である。
【符号の説明】
【００１７】
１０        母子パイプ
１２        空気送入パイプ
１４        空気充填パイプ
１６        連結部
１６２      貫通孔
２０        マスク本体
２２        開口
２４        空気充填パイプ
２４２      ガイドプレート
２４４      孔
２４６      リング
２４８      縮減部
２６        リブ
３０        計測部材
５０        マスク本体
５２        空気充填部
５４        ガイドプレート
５６        空気送入パイプ
５８        空気充填パイプ
６０        計測部材
６２        リブ
【図１】
2006109962.tif 000003
【図２】
2006109962.tif 000004
【図３】
2006109962.tif 000005
【図４】
2006109962.tif 000006
【図５】
2006109962.tif 000007